(57)【要約】【課題】大気中の塩分の捕獲と湿度測定とを同一機器で実現した場合に、捕獲した塩分が湿度測定に悪影響を及ぼさないようにする。【解決手段】観測装置１０は、通気性を有し、筒状に形作られた塩分捕集可能な捕集材５０と、捕集材５０の内側に配設された湿度センサ６４と、捕集材５０の内側に空気を送風する送風機８０と、を備える。【選択図】図２
2018109559.tif 000002
【特許請求の範囲】
【請求項１】
通気性を有し、筒状に形作られた塩分捕集可能な捕集材と、
前記捕集材の内側に配設された湿度センサと、
前記捕集材の内側に空気を送風する送風機と、を備える観測装置。
【請求項２】
前記送風機が前記捕集材の中心軸方向側に配置され、前記送風機の送風向きが前記中心軸方向である請求項１に記載の観測装置。
【請求項３】
前記送風機を間欠的に作動させる制御部を更に備える請求項１又は２に記載の観測装置。
【請求項４】
通気性を有し、前記捕集材の内側において前記湿度センサを包囲したフィルタを更に備える請求項１から３の何れか一項に記載の観測装置。
【請求項５】
前記捕集材、前記湿度センサ及び前記送風機を収容し、日光を遮蔽し、雨水の浸入を防止し、通気性を有した遮蔽箱を更に備える請求項１から４の何れか一項に記載の観測装置。
【請求項６】
前記捕集材の内側に配設された温度センサを更に備える請求項１から５の何れか一項に記載の観測装置。
【発明の詳細な説明】
【技術分野】
【０００１】
本発明は、大気中の塩分を捕集するとともに湿度を測定する観測装置に関する。
【背景技術】
【０００２】
送電系統の碍子や鉄塔等に利用される各種の材料（例えば、絶縁体、金属材料）の腐食状態を調査するために、大気中に飛散している塩分の量（以下、単位体積あたりに含まれる塩分の量を気中塩分密度といい、これに風速を乗じたものを飛散塩分量という。）を測定する必要がある。大気中の塩分密度や飛散塩分量の測定のためには、大気中に飛散している塩分を捕集する必要がある。
【０００３】
ＪＩＳ  Ｚ２３８２で規定されているドライガーゼ法は、木枠にガーゼをはめ込んで、雨に濡れない風通しの良い場所に木枠及びガーゼを設置し、ガーゼに付着した塩分の量を測定するというものである。
特許文献１に記載の飛散塩分捕獲装置は、ガーゼが円筒状に丸められて、立てられた状態で保持されたものである。
特許文献２に記載の海塩粒子の捕捉分析方法は、海塩粒子よりも目が細かいフィルタを通して大気を吸引することにより、海塩粒子をフィルタで捕捉するというものである。
特許文献３に記載の飛散塩分捕獲装置は、風による上昇気流中の塩分を捕獲する機構が円錐台形状のルーフの下に配置されているというものである。
特許文献４に記載の飛散塩分捕獲装置は、屋根材の下に筐体が設けられ、その筐体の側面には複数の窓が異なる向きに設けられ、これら窓に塩分捕集布が張設されることによって多方向の風の飛散塩分の捕獲に対応できるようにしたものである。
【０００４】
材料の腐食要因としては、気中塩分の他に温度及び湿度による影響もある。そのため、大気中の塩分量を測定するほかに、温度及び湿度も測定する必要がある。また、大気中の塩分の捕獲と温度測定と湿度測定とを同一機器で実現することが望まれる。
温度の測定には、電気特性の変化が温度変化に依存する感温素子をセンサとして利用した電子式温度計を用い、湿度の測定には、電気特性の変化が湿度変化に依存する感湿素子をセンサとして利用した電子式湿度計を用いるのが一般的である。
【先行技術文献】
【特許文献】
【０００５】
【特許文献１】特許第５８７６６１５号公報
【特許文献２】特開２０１０−１１２７１９号公報
【特許文献３】特許第５６７７５９５号公報
【特許文献４】特開２０１５−０２１７９６号公報
【発明の概要】
【発明が解決しようとする課題】
【０００６】
ところで、塩の飽和水溶液と平衡にある空気の相対湿度は塩の種類と溶液の温度で定まるため（JIS B 7920:2000 参照）、析出された塩に気中の水分が混じると、その塩の周囲が一定の湿度に保たれてしまう。そのため、大気中の塩分の捕獲と湿度測定とを同一機器で実現すると、ガーゼ等に捕獲した塩分が湿度センサの周囲の湿度を一定に保つように作用し、湿度センサによる測定湿度が大気中の実際の湿度と異なる。それゆえ、湿度センサによる測定湿度に誤差が生じる。
【０００７】
そこで、本発明は上記事情に鑑みてなされたものである。その発明の目的とするところは、大気中の塩分の捕獲と湿度測定とを同一機器で実現した場合に、捕獲した塩分が湿度測定に悪影響を及ぼさないようにすることにある。
【課題を解決するための手段】
【０００８】
以上の課題を解決するための主たる発明は、通気性を有するとともに筒状に形作られた塩分捕集可能な捕集材と、前記捕集材の内側に配設された湿度センサと、前記捕集材の内側に空気を送風する送風機と、を備える観測装置である。
【発明の効果】
【０００９】
本発明によれば、空気が送風機によって湿度センサに吹き付けられるので、塩分が捕集材に捕集されても、その塩分が湿度センサの湿度測定に悪影響を及ぼさない。
【図面の簡単な説明】
【００１０】
【図１】図１は、観測装置の斜視図である。
【図２】図２は、観測装置の縦断面図である。
【発明を実施するための形態】
【００１１】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１２】
１．  観測装置の構成
図１は、観測装置１０の斜視図である。図２は、観測装置１０の内部を示す縦断面図である。
観測装置１０は、遮蔽箱（百葉箱）１と、遮蔽箱１の内側に収容された観測機器本体２０及び制御盤（制御部）９０とを備える。
【００１３】
遮蔽箱１は日光の遮蔽及び雨水の浸入防止をするとともに、通気性を有する。遮蔽箱１が直方体箱状に形成されており、四つの側面に開口（導風口）が形成され、それら開口にルーバー２が設けられている。ルーバー２は、外側から内側に向かって上りに約４５°で傾斜する複数の鎧板（整流板）が上下に配列された構成である。遮蔽箱１の下面は開口している。また、遮蔽箱１の上端には天板３が設けられており、この天板３は観測機器本体２０を出し入れするための蓋としても機能する。つまり、天板３の縁部がヒンジ８によって遮蔽箱１の上端に連結され、天板３の反対側の縁部がロック・アンロック可能な留め具９によって固定されている。
この遮蔽箱１は、上下に延在した中心軸が鉛直になるように屋外等の測定場所に設置される。
【００１４】
観測機器本体２０は、遮蔽箱１の四つの側面及び天板３から内側に離れた状態で、遮蔽箱１の内側に収容されている。また、この観測機器本体２０は、遮蔽箱１の内側に設けられた支持具（図示略）によって遮蔽箱１に支持されているとともに、その支持具に対して着脱可能である。
観測機器本体２０はホルダ３０、筒体４０、捕集ガーゼ（捕集材）５０、温湿度測定器６０、フィルタ７０及び送風機８０を備える。
【００１５】
ホルダ３０は上述の支持具によって着脱可能に遮蔽箱１に支持されている。このホルダ３０が柱状に設けられており、ホルダ３０の外周面３１が円柱面状に形成されている。ホルダ３０の中央部には、装着孔３２がホルダ３０を上下に貫通するように形成されている。
【００１６】
温湿度測定器６０は、気中の温度及び湿度（特に相対湿度）を測定して、測定温度及び測定湿度を表す電気信号を出力するものである。この温湿度測定器６０は本体部６１、プローブ６２、温度センサ（感温素子）６３及び湿度センサ（感湿素子）６４を有する。
【００１７】
プローブ６２の基端部が本体部６１に接続され、このプローブ６２が本体部６１から延出している。プローブ６２がホルダ３０を上下に貫通するように装着孔３２に装着され、これにより温湿度測定器６０がホルダ３０に支持されている。
【００１８】
プローブ６２の先端には温度センサ６３及び湿度センサ６４が設けられている。温度センサ６３は例えばサーミスタ、測温抵抗体又は熱電対である。湿度センサ６４は例えば電気容量式湿度センサ又は電気抵抗式湿度センサである。本体部６１には計測回路６５が内蔵されており、温度センサ６３の測定温度及び湿度センサ６４の測定湿度が計測回路６５によって電気信号に変換される。計測回路６５は制御盤９０によって制御される。
【００１９】
プローブ６２の先端にはフィルタ７０が装着され、フィルタ７０の内側が空洞となっている。このフィルタ７０の内側に温度センサ６３及び湿度センサ６４が収容されている。フィルタ７０は通気性を有し、フィルタ７０を通過する空気の塵埃等がフィルタ７０に捕捉される。
【００２０】
ホルダ３０には中空円柱状の筒体４０が外装されている。具体的には、ホルダ３０が筒体４０の下側開口に嵌め込まれ、止め輪３３が筒体４０の外側から筒体４０をホルダ３０に締め付けている。筒体４０の上側の大部分がホルダ３０の外周面３１から上方へ延出しており、温度センサ６３及び湿度センサ６４が筒体４０の内側に配置されている。筒体４０とプローブ６２が同軸状に配置され、温度センサ６３及び湿度センサ６４がホルダ３０の上方において筒体４０の中心軸上に配置されている。また、筒体４０の中心軸と遮蔽箱１の中心軸が一致しており、遮蔽箱１の四つの側面が筒体４０の径方向外側において筒体４０を囲繞する。遮蔽箱１の中心軸と同様に、筒体４０の中心軸も鉛直に設置される。
【００２１】
筒体４０の上部には捕集ガーゼ５０が巻き付けられている。これにより、可撓性の捕集ガーゼ５０が円筒状の形状に維持されており、捕集ガーゼ５０の中心軸が鉛直に設置される。
筒体４０が網状であるため、多数の通気孔が筒体４０に形成されている。そのため、捕集ガーゼ５０が筒体４０に巻き付けられていても、捕集ガーゼ５０の通気性が確保される。
捕集ガーゼ５０がホルダ３０の外周面３１から上に離間しており、捕集ガーゼ５０の下側において筒体４０が露出している。そのため、捕集ガーゼ５０とホルダ３０との間では、筒体４０の内側の空間と外側の空間が筒体４０の通気孔によって通じている。
【００２２】
筒体４０の上側には送風機８０が取り付けられている。この送風機８０は、その下方にある筒体４０の上側開口に向けられている。送風機８０による送風の向きは上から下に向かう向きであり、送風機８０によって下向きの強制対流が筒体４０の内側に生じる。
この送風機８０は制御盤９０によって制御される。
【００２３】
制御盤９０は電源（例えば、太陽光発電セル、一次電池、二次電池、電源回路）及び制御回路などを有する。なお、電源が太陽光発電セルの場合、その太陽光発電セルが遮蔽箱１の外側に設置されている。
【００２４】
制御盤９０は間欠的に送風機８０及び温湿度測定器６０（特に計測回路６５）を作動させる。具体的には、制御盤９０は、所定期間（例えば、１時間）経過する毎に送風機８０及び計測回路６５を同時に作動させて、送風機８０及び計測回路６５の作動状態を所定時間（所定時間は前記所定期間よりも短く、例えば１分間である。）保持した後に送風機８０及び計測回路６５を停止させる。従って、温度センサ６３及び湿度センサ６４によって間欠的に湿度及び温度が測定されて、その測定タイミングに同期した強制対流が温度センサ６３及び湿度センサ６４の周囲に送風機８０によって発生する。なお、送風機８０及び計測回路６５の各回の作動時間は、送風機８０及び計測回路６５の各回の停止時間よりも短い。
【００２５】
制御盤９０は、半導体メモリ等の記録媒体を有して、データロガーとしての機能を有していてもよい。具体的には、制御盤９０は、計測回路６５から入力した測定温度及び測定湿度を測定時刻（計測回路６５の作動時刻）に対応付けて、記録媒体に記録する。
【００２６】
２．  観測装置の使用方法及び作用効果
遮蔽箱１及び筒体４０の中心軸が鉛直になるように、観測装置１０を屋外等の測定場所に設置する。１つの遮蔽箱１に温湿度測定器６０及び捕集ガーゼ５０が収容されていて、観測装置１０が小型化且つ軽量であるので、観測装置１０の設置作業が容易であるとともに、観測装置１０の設置場所の省スペース化も図れる。
晴天時には日光がルーバー２によって遮蔽され、降雨時には雨水がルーバー２によって遮られる。
観測装置１０の設置後、制御盤９０をオン状態にする。そうすると、送風機８０及び計測回路６５が制御盤９０によって間欠的に作動される。
【００２７】
ルーバー２の隣り合う鎧板の間には隙間が存在するので、風がそれら隙間を通って遮蔽箱１の外側から内側を経由して外側へ吹き抜ける。ここで、遮蔽箱１の四つの側面にルーバー２が設けられているので、風向きにかかわらず風が遮蔽箱１を吹き抜ける。そして、捕集ガーゼ５０が遮蔽箱１の中央において筒体４０によって円筒状に立てられた状態で保持されているので、遮蔽箱１に飛来してきた塩分が飛来の向きにかかわらず捕集ガーゼ５０に付着する。捕集ガーゼ５０に付着する塩分の量は、遮蔽箱１を吹き抜ける風の風速や気中塩分密度に応じたものとなる。
【００２８】
この捕集ガーゼ５０の内側にフィルタ７０が配置されているので、送風機８０の停止中には、捕集ガーゼ５０の内側では気中塩分密度が低くなり、フィルタ７０には塩分が殆ど付着しない。一方、送風機８０の作動中には、送風機８０によって空気が筒体４０の上側から筒体４０の内側へ流入して、温度センサ６３及び湿度センサ６４に吹き付けられる。それゆえ、捕集ガーゼ５０に付着した塩分の影響を受けずに、大気中の温度及び湿度が温度センサ６３及び湿度センサ６４によって正確に測定される。また、送風機８０の停止中に塩分がフィルタ７０に殆ど付着しないので、送風機８０の作動中に流れる空気がフィルタ７０を通過する際にその空気の気中塩分密度が変化しない。よって、温度及び湿度が温度センサ６３及び湿度センサ６４によって正確に測定される。
【００２９】
送風機８０によって筒体４０の内側に流れる空気は、筒体４０のうち捕集ガーゼ５０とホルダ３０との間の部分を内側から外側へ通過する。よって、捕集ガーゼ５０に付着した塩分が送風機８０の強制対流によって捕集ガーゼ５０から離脱するのを防止できる。
【００３０】
３．  変形例
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以上の実施形態からの変更点について以下に説明する。以下に述べる変更点は可能な限り組み合わせて適用してもよい。
【００３１】
（１）  上記実施形態では、筒体４０が円筒状に形成されていたが、筒体４０が角筒状等の他の筒形状に形成されていてもよい。
【００３２】
（２）  観測機器本体２０を上下反転させるようにして、遮蔽箱１内に設置してもよい。
【００３３】
（３）  通気孔がホルダ３０を上下に貫通するように形成されていてもよい。この場合、送風機８０によって生じた風が通気孔によってホルダ３０を上から下に向かって吹き抜ける。
【００３４】
（４）  制御盤９０が遮蔽箱１の以外の防雨遮蔽箱内に設置され、その制御盤９０から計測回路６５及び送風機８０まで配線が配索されていてもよい。
【符号の説明】
【００３５】
１…遮蔽箱，  １０…観測装置，  ４０…筒体，  ５０…捕集ガーゼ（捕集材），  ６３…温度センサ，  ６４…湿度センサ，  ６５…計測回路，  ７０…フィルタ，  ８０…送風機，  ９０…制御盤（制御部）
【図１】
2018109559.tif 000003
【図２】
2018109559.tif 000004